(57)【要約】【課題】構造が簡単で安価であり、長期間にわたって安定した良好な引手片収容保持性が実現できるとともに、各構成部品相互間の揺れをも防止することができるカバー部材を備えたジッパー引手を提供する。【解決手段】ジッパー引手（２０）のカバー部材（２２）は、軟質材料からなり、スライダー胴体（１５）及び引手片（２１）を覆い隠す第１位置にあってカバー部材（２２）及び引手片（２１）を物品の隣接部分と直接接触させないように不動状態に保持する形状を有している。カバー部材（２２）の収容部（２６，２６ａ）内にスライダー胴体（１５）及び引手片（２１）が収容状態にあるとき、少なくともカバー部材（２２）とスライダー胴体（１５）とが相対的に移動することを阻止する移動阻止手段をもって支持固定される。【選択図】図１
2004065953.tif 000002
【特許請求の範囲】
【請求項１】
物品の各部分に固定され、ジッパー引手（２０）の操作により一対の協働するジッパーストリンガー（１１，１２）　の対向する噛合エレメント（１３，１４）　の係合・解除を選択的に行うスライダー胴体（１５）を有し、前記ジッパー引手（２０）は、前記スライダー胴体（１５）に対する自由動作を可能にして連結された剛性材料からなる引手片（２１）と、同引手片（２１）に連結され、同引手片（２１）を不動状態に覆い隠す第１位置と同引手片（２１）を露呈させる第２位置との間で動作可能にされたカバー部材（２２）とを備えてなるジッパー引手（２０）であって、
前記カバー部材（２２）は、軟質材料からなり、前記第１位置において前記引手片（２１）が実質的に前記物品の隣接部分と直接接触することを防止する形状を有してなることを特徴とするジッパー引手。
【請求項２】
前記カバー部材（２２）の内側面（２４）に、少なくとも前記引手片（２１）を収容保持する収容部（２６）を形成してなることを特徴とする請求項１記載のジッパー引手。
【請求項３】
前記カバー部材（２２）の前記収容部（２６）は、前記引手片（２１）に対応する寸法よりも小さい寸法を有する入口通路を有してなり、
前記引手片（２１）は、前記入口通路を通って前記収容部（２６）内に嵌着されてなることを特徴とする請求項２記載のジッパー引手。
【請求項４】
前記カバー部材（２２）の前記内側面（２４）に、前記スライダー胴体（１５）の少なくとも左右の一部側面を収容保持する収容部（２６ａ）　を形成してなることを特徴とする請求項１又は２記載のジッパー引手。
【請求項５】
前記カバー部材（２２）の長さ方向の外側面（２５）は、凸状の湾曲面とされてなることを特徴とする請求項１記載のジッパー引手。
【請求項６】
前記カバー部材（２２）は、本質的にシェル状であり、その内側面（２４）は前記引手片（２１）に対面する凹状の湾曲面とされてなることを特徴とする請求項１又は５記載のジッパー引手。
【請求項７】
前記カバー部材（２２）は、本質的にＣ字状の横断面形状を有してなることを特徴とする請求項６記載のジッパー引手。
【請求項８】
前記カバー部材（２２）は、前記第１位置において前記引手片（２１）及び前記スライダー胴体（１５）　に対して軸方向に突出している端末部（２２ａ）　を有してなり、
同端末部（２２ａ）　は、前記カバー部材（２２）を前記第１位置から離すために使用者が手で把持できるようになっていることを特徴とする請求項１又は７記載のジッパー引手。
【請求項９】
前記カバー部材（２２）の端末部（２２ａ）　は、長さ方向に先細り形状になっていることを特徴とする請求項８記載のジッパー引手。
【請求項１０】
前記カバー部材（２２）の端末部（２２ａ）　は、先細り形状の側面を有してなることを特徴とする請求項８又は９記載のジッパー引手。
【請求項１１】
前記カバー部材（２２）は、柔軟なプラスチック又はゴム材料からなることを特徴とする請求項１記載のジッパー引手。
【請求項１２】
前記引手片（２１）は、前記スライダー胴体（１５）　に連結された第１端部（２１ａ）　を有してなり、
前記カバー部材（２２）は、上壁部（２２ｂ）　と左右側壁部（２２ｃ）　とを有するとともに、前記第１端部（２１ａ）　の反対側である前記引手片（２１）の第２端部（２１ｂ）　に連結されてなり、
前記カバー部材（２２）の第１位置にあって、前記スライダー胴体（１５）と前記カバー部材（２２）とが相対的に移動することを阻止する移動阻止手段を有してなる、
ことを特徴とする請求項４記載のジッパー引手。
【請求項１３】
前記移動阻止手段は上記カバー部材（２２）の上記収容部（２６，２６ａ）の一部に有してなる請求項１２記載のジッパー引手。
【請求項１４】
前記スライダー胴体（１５）がその上面の一部に引手取付柱（１５ａ）　を有してなり、同引手取付柱（１５ａ）　が前記移動阻止手段より前記収容部（２６ａ）　に嵌着支持されてなることを特徴とする請求項１３記載のジッパー引手。
【請求項１５】
前記カバー部材（２２）の前記上壁部（２２ｂ）　の内面に、前記引手取付柱（１５ａ）　の上端部に係着する嵌合凹部（２７ａ）　を有してなることを特徴とする請求項１４記載のジッパー引手。
【請求項１６】
前記移動阻止手段は、前記スライダー胴体（１５）の上翼板（１５ｂ）　の左右端部を一部と、前記収容部（２６ａ）　がカバー部材（２２）の前記左右側壁部（２２ｃ）　の対向面間一部とに有し、同移動阻止手段をもって前記収容部（２６ａ）　が前記上翼板（１５ｂ）　の左右端部の一部に嵌着支持されてなることを特徴とする請求項１３記載のジッパー引手。
【請求項１７】
前記移動阻止手段は、前記カバー部材（２２）の前記左右側壁部（２２ｃ）　の対向面と前記スライダー胴体（１５）の左右端面とにそれぞれ形成され、互いに嵌着する突部（１５ｂ−１）　又は凹部（２７ｂ，２７ｃ）　を有してなることを特徴とする請求項１６記載のジッパー引手。
【請求項１８】
前記カバー部材（２２）は、前記引手片（２１）にヒンジ状に連結されてなることを特徴とする請求項１記載のジッパー引手。
【請求項１９】
前記引手片（２１）は、前記スライダー胴体（１５）　に連結された第１端部（２１ａ）　を有してなり、
前記カバー部材（２２）は、前記第１端部（２１ａ）　の反対側である前記引手片（２１）の第２端部（２１ｂ）　に連結されてなり、
前記カバー部材（２２）は、前記第２位置において使用者に把持される前記引手片（２１）の延長部（２２ａ）　を形成してなることを特徴とする請求項１記載のジッパー引手。
【発明の詳細な説明】
【０００１】
【発明の属する技術分野】
本発明はジッパー引手に係わり、特に、長期間にわたって安定した良好な引手片収容保持性が実現できるとともに、各構成部品相互間のガタツキをも防止することができるカバー部材を備えたジッパー引手に関する。
【０００２】
【従来の技術】
従来も、例えば鞄、リュックサック等の物品やジャケット、スウェットスーツ等の衣類品などの留め具としてジッパーが広く使用されている。このジッパーの一例として、例えば前記物品の開口部に取り付けられ、ジッパー引手の操作により一対の協働するジッパーストリンガーの対向する噛合エレメントの係合・解除を選択的に行うスライダー胴体と、このスライダー胴体に対する自由動作を可能にして連結された剛性材料からなる引手片とを備えた一般的なジッパー引手がある。
【０００３】
また、このジッパーの他の一例として、前記スライダー胴体と引手片との二部材にカバー部材を含む三部材により構成されたジッパー引手がある。このカバー部材は、前記引手片に連結され、同引手片を覆い隠す第１位置と同引手片を露呈させる第２位置との間で動作可能にされている。このカバー部材を備えたジッパーは、オートバイ乗りが使用する衣服の留め具として多用されている。この衣服は、皮、模造皮革、あるいは同一材質の素材で製作することができ、一般的には、かなり高価なものである。このような衣服類にあっては、使用中に、引手片が長時間にわたり頻繁に跳ね上がると、乗り手の気に障るだけでなく、ジッパー引手が衣服の隣接部分と直接接触するため、その衣服が部分的に摩耗したり、或いは損傷してしまうという不具合が発生する。
【０００４】
この種のカバー部材を備えたジッパーの一例が、例えば米国特許第１９８８７６１号明細書に開示されている。同明細書に開示されたジッパーの引手は、平坦な硬いカバー板が引手片にヒンジ状に連結されている。このカバー板は、スライダー胴体及び引手片からなる装飾性に乏しい組立品を覆い隠す第１位置（休止位置）において、物品の隣接部分と接触する方向に向けて弾性的に傾斜して配されている。その結果、いっそう美しい装飾性に優れたものが得られることとなる。
【０００５】
一方、このジッパー引手の他の例として、例えば米国特許第５１０１５３８号明細書には、引手片を有する他のジッパー引手が開示されている。同明細書に開示された引手片の自由端部には、同引手片を囲むようにしてリングの一部が同リングの成形と同時に一体に固設されている。このリングは、引手片と同一平面上にあるように常にエレメント側へと付勢されており、エレメントに対して角度をもって離れる方向に回動操作するとき、その反発弾性が増す。このリングの取付け位置及びその弾力は、特にジョギング等のリトミック動作を行っている人を苛々させる原因となり得るジッパー引手の跳ね上がり傾向を抑える役目を果たしている。この弾力をもつリングはジッパーの引手片及びスライダー胴体を実質的には覆い隠していない。
【０００６】
【特許文献１】
米国特許第１９８８７６１号明細書
【特許文献２】
米国特許第５１０１５３８号明細書
【０００７】
【発明が解決しようとする課題】
上記特許文献１に開示されたジッパー引手は、既述のとおり、前記組立品を覆い隠す第１位置にあって物品の隣接部分と接触する方向に傾いて配されている。このため、その構造上、上記不具合による影響を極めて受けやすくなり、この点では従前どおりであって変わるところはない。しかも、この従来のジッパー引手は、前記第１位置において硬いカバー板と引手片との間のヒンジ状の連結部分が上方に浮き上がるとともに、前記カバー板の自由端部がスライダー胴体の上面に当接した状態で前記引手片を覆い隠しているため、例えばオートバイ乗りが使用する衣服の留め具として使用する場合は、その使用中に前記引手片が長時間にわたり頻繁に跳ね上がると、前記カバー板の自由端部と前記スライダー胴体の上面とが激しく衝突し合い、その衝突音によって乗り手に不快感を与えるばかりでなく、各構成部品相互間にガタツキが発生するという不具合をも有している。
【０００８】
また、上記特許文献２に開示されたジッパー引手は、上述のように引手片の自由端部を固定するリングの取付け位置及び弾力によってジッパー引手の跳ね上がりを抑える機能を有しているものの、前記リングがジッパーの引手片及びスライダー胴体を覆い隠していない。そのため、スライダー胴体は勿論のことその引手との結合部周辺の構造が外部に露呈し、外観上の見栄えがよくない。また、この従来のジッパー引手にあっては、上記特許文献１に開示された技術以上に、リングが噛合エレメント列に接触するため、このリングを介して引手片を回動させるたびにリングが弾力をもって噛合エレメント列に当たり、また、その際に衣類又は他の物品の隣接部分にも衝突しかねず、エレメントやその隣接部分を擦傷する恐れがある。
【０００９】
本発明は、構造が簡単で安価であり、長期間にわたって安定した良好な引手片収容保持性が実現できるとともに、各構成部品相互間の揺れをも防止することができるカバー部材を備えたジッパー引手を提供することを目的としている。
【００１０】
【課題を解決するための手段及び作用効果】
本件請求項１に係る発明は、物品の各部分に固定され、ジッパー引手の操作により一対の協働するジッパーストリンガーの対向する噛合エレメントの係合・解除を選択的に行うスライダー胴体を有するジッパー引手であって、前記ジッパー引手は、前記スライダーに対する自由動作を可能にして連結された剛性材料からなる引手片と、同引手片に連結され、同引手片を不動状態に覆い隠す第１位置と同引手片を露呈させる第２位置との間で動作可能にされたカバー部材とを備えてなり、前記カバー部材は、軟質材料からなり、前記第１位置において前記引手片が実質的に前記物品の隣接部分と直接接触することを防止する形状を有してなることを特徴とするジッパー引手にある。
【００１１】
本発明のジッパー引手にあっても、上記特許文献１と同様に、スライダー、引手片、カバー部材の三部材により構成され、少なくとも引手片を覆い隠す第１位置において前記カバー部材内に前記引手片を覆い隠しているが、本発明のジッパー引手は、前記第１位置にあって前記引手片を前記物品の隣接部分と直接接触させないような位置に不動状態を保持する形状としている点が従来のジッパー引手と大きく異なるところである。
【００１２】
上記各特許文献１，２に開示された従来の技術は、上述のようにジッパー引手が噛合エレメント列や衣服の隣接部分と直接接触しやすいため、衣服が部分的に摩耗したり、或いは損傷してしまう。本発明によれば、前記カバー部材は、軟質材料からなり、前記第１位置において前記引手片が前記物品の隣接部分と直接接触することを防止する形状を有するように構成される。この構成を備えることにより、前記カバー部材は、同カバー部材を引手片を覆い隠す第１位置にあるとき不動状態となり、前記引手片及カバー部材自身を前記物品の隣接部分と接触する位置までの動きを抑える前記引手片に対する保持力を持たせている。
【００１３】
更に本発明にあっては、カバー部材の材質として、例えば軟質合成樹脂やゴム、或いは皮革などの軟質材料から構成されているため、外観上がソフトであり、前記第１位置にて引手片を覆い隠したとき、同引手片の外郭形状によく沿い、しかも他の周辺部材と当たったときでも金属製の耳障りな音が発生しない。
【００１４】
請求項２に係る発明は、上記請求項１に係る発明にあって、前記カバー部材の内側面に、少なくとも前記引手片を収容保持する収容部を形成していることを特徴としている。
前記カバー部材の収容部内に前記引手片を少なくとも収容保持するに十分な空間部を確保している。上記第１位置において、前記カバー部材の収容部内に前記引手片を不動状態に収容保持するとともに、少なくとも前記引手片を完全に覆い隠すことができるようになり、しかも、外観意匠性に優れており、商品価値の高い美麗なジッパー引手が効果的に得られる。
【００１５】
請求項３に係る発明は、上記請求項２に係る発明にあって、前記カバー部材の前記収容部が、前記引手片に対応する寸法よりも小さい寸法を有する入口通路を有しており、前記引手片は、前記入口通路を通って前記収容部内に嵌着されていることを特徴としている。
この発明は、前記カバー部材の前記収容部の曲型的な構造を規定するものである。前記カバー部材は軟質材料から形成されているため、上記第１位置において前記収容部内に前記引手片の外形形状に沿ってしっかりと嵌着支持し、上記第１位置から上記第２位置に向けて容易に変形するため、前記引手片を前記収容部内から外部に離脱する。このため、前記カバー部材の収容部内に前記引手片をしっかりと保持でき、しかも簡単に且つ円滑に係脱することができるようになる。
【００１６】
請求項４に係る発明は、上記請求項２又は３に係る発明にあって、前記カバー部材の前記内側面に、前記スライダーの胴体の少なくとも左右の一部側面を収容保持する収容部を形成していることを特徴としている。
この発明は、前記カバー部材の前記収容部の曲型的な他の構造を規定するものであり、前記カバー部材の前記内側面に前記スライダー胴体の一部側面を収容するに十分な空間部を確保している。上記第１位置において前記収容部内に前記引手片を収容し、同時に前記スライダー胴体の一部を嵌着支持できるとともに、軟質であることを利用して上記第１位置から上記第２位置に向けて前記引手片及び前記スライダー胴体を前記収容部内から容易に離脱できるようにする。すなわち、上記構成によれば前記カバー部材の収容部内に前記引手片と一緒に前記スライダー胴体の一部を簡単に且つ円滑に係脱することができるようになる。
【００１７】
請求項５〜１０に係る発明は、前記カバー部材の曲型的な構造を規定するものである。すなわち、請求項５に係る発明は、上記請求項１に係る発明にあって、前記カバー部材の長さ方向の外側面が、凸状の湾曲面とされていることを特徴としている。請求項６に係る発明は、上記請求項１又は５に係る発明にあって、前記カバー部材が、本質的にシェル状であり、その内側面は前記引手片に対面する凹状の湾曲面とされていることを特徴としている。前記カバー部材は、請求項７に係る発明のように、本質的にＣ字状の横断面形状を有していることが好適である。
【００１８】
更に請求項８に係る発明は、上記請求項１又は７に係る発明にあって、前記カバー部材が、前記第１位置において前記引手片及び前記スライダー胴体に対して軸方向に突出している端末部を有しており、同端末部は、前記カバー部材を前記第１位置から離すために使用者が手で把持できるようになっている。前記カバー部材の端末部は、請求項９に係る発明のように、長さ方向に先細り形状になっていることが好適である。請求項１０に係る発明は、請求項８又は９に係る発明にあって、前記カバー部材の端末部が、先細り形状の側面を有していることを規定している。
【００１９】
また、請求項１１に係る発明は、前記カバー部材の好ましい材質を規定しており、前記カバー部材が、請求項１１に係る発明のように、柔軟なプラスチック又はゴム材料からなる。
【００２０】
請求項１２に係る発明は、上記請求項４に係る発明にあって、前記引手片が、前記スライダー胴体に連結された第１端部を有してなり、前記カバー部材は、上壁部と左右側壁部とを有するとともに、前記第１端部の反対側である前記引手片の第２端部に連結されてなり、前記カバー部材の第１位置にあって、前記スライダー胴体と前記カバー部材とが相対的に移動することを阻止する移動阻止手段を有していることを特徴としている。
【００２１】
前記第１位置において前記カバー部材と前記スライダー胴体とを前記移動阻止手段により係合させるとともに、前記スライダー胴体と前記カバー部材とを不動状態に維持する。前記移動阻止手段を備えているため、前記カバー部材と前記引手片とがどの方向にも動かず、前記スライダー胴体に対する保持力を高めることができる。
【００２２】
請求項１３に係る発明は、請求項１２に係る発明にあって、前記移動阻止手段が、上記カバー部材の上記収容部の一部に有していることを特徴としている。
上記構成を備えることにより、上記カバー部材の上記収容部の一部を前記移動阻止手段として有効に利用することができるようになり、上記カバー部材の上記収容部内に前記スライダー胴体の一部が収容状態にあるとき、同時に前記移動阻止手段をもって前記カバー部材と前記スライダー胴体とをしっかりと且つ確実に支持固定することができる。また、前記カバー部材が前記スライダー胴体を介してずれることがなくなり、同時に前記引手片がしっかりと固定され、前記カバー部材と前記引手片とのあらゆる方向への移動を防止することができる。従って、ジッパー及びそれを取り付けた部品の品質を長期間にわたって確保することができる。
【００２３】
請求項１４に係る発明は、上記請求項１３に係る発明にあって、前記スライダー胴体がその上面の一部に引手取付柱を有しており、同引手取付柱が前記移動阻止手段より前記収容部に嵌着支持されていることを特徴としている。
【００２４】
前記スライダー胴体の上面に固着された引手取付柱に前記カバー部材の前記上壁部及び前記左右側壁部を装着するにあたり、カバー部材の前後及び幅方向の位置決めがなされるとともに、カバー部材は前記移動阻止手段を介して引手取付柱にしっかりと固定され、前記カバー部材及び前記スライダー胴体に設けられた固着構造などを外部に露呈することなく、正確に且つ円滑に取り付けることができる。
【００２５】
前記カバー部材の前記上壁部の内面には、請求項１５に係る発明のように、前記引手取付柱の上端部に係着する嵌合凹部を有していることが好ましい。従って、前記カバー部材は、上記請求項５〜１０に係る発明のように、既述したとおりの単純な構造とすることができ、複雑な構造に形成することがなくなり、ジッパー引手の小型化や薄型化が実現され、更にはその取扱性も容易になる。
【００２６】
請求項１６に係る発明は、上記請求項１３に係る発明にあって、前記移動阻止手段が、前記スライダー胴体の上翼板の左右端部の一部と、前記収容部がカバー部材の前記左右側壁部の対向面間一部とに有し、同移動阻止手段をもって前記収容部が前記上翼板の左右端部の一部に嵌着支持されていることを特徴としている。
【００２７】
前記スライダー胴体が前記カバー部材の前記収容部内に収容した状態にあるとき、同時に前記カバー部材の前記左右側壁部が前記移動阻止手段を介して前記スライダー胴体の上翼板の左右端部に容易に嵌着して、前記カバー部材をしっかりと確実に支持固定することができる。前記カバー部材の前記左右側壁部及び前記スライダー胴体の左右端部とが嵌着固定される簡単な構造でありながら、嵌着固定時には両者が離脱可能にしっかりと固定され、組立性や信頼性等を著しく向上させることができる。
【００２８】
請求項１７に係る発明は、上記請求項１６に係る発明にあって、前記移動阻止手段が、前記カバー部材の前記左右側壁部の対向面と前記スライダー胴体の左右端面とにそれぞれ形成され、互いに嵌着する突部又は凹部を有していることを特徴としている。
この場合は、例えば前記カバー部材の前記左右側壁部の対向面及び前記スライダー胴体の左右端面の一方に形成された突条部又は突部と、前記カバー部材の前記左右側壁部の対向面及び前記スライダー胴体の左右端面の他方に形成された凹部とにより構成することができる。前記カバー部材及び前記スライダー胴体の接触面積を確保することができるようになり、前記左右移動阻止手段である突部及び凹部を適宜に設定することにより、各構成部品間相互の保持力が強固に得られる。
【００２９】
更に請求項１８及び１９に係る発明は、前記カバー部材の曲型的な構造を規定するものである。すなわち、請求項１８に係る発明は、上記請求項１に係る発明にあって、前記カバー部材が、前記引手片にヒンジ状に連結されていることを特徴としている。請求項１９に係る発明は、上記請求項１に係る発明にあって、前記引手片が、前記スライダー胴体に連結された第１端部を有しており、前記カバー部材は、前記第１端部の反対側である前記引手片の第２端部に連結されてなり、前記カバー部材は、前記第２位置において使用者に把持される前記引手片の延長部を形成していることを特徴としている。
【００３０】
前記カバー部材の延長部は、上記第１位置において前記引手片及びスライダー胴体に対して軸方向に向けて延びているため、使用者が指先で前記延長部を把持することにより、前記カバー部材を上記第１位置から上記第２位置に向けて容易に動かすことができるようになり、同カバー部材の脱着を簡単に行うことができる。また、上記第１位置において、前記カバー部材の収容部内に前記引手片及び上記スライダー胴体の一部を不動状態に収容保持することができるとともに、前記引手片及び上記スライダー胴体を覆い隠すことができるため、簡単な構造でありながら、前記カバー部材の脱着操作性を向上させることができ、外観意匠性に優れており、商品価値の高いジッパー引手が効果的に得られる。
【００３１】
【発明の実施の形態】
以下、本発明の好適な実施形態を添付図面に基づいて具体的に説明する。
図１〜図９は本発明の代表的なジッパー引手の第１の実施形態を示している。図１において、それ自体公知であるが、例えば織成ストラップのような２本のストリンガー１１及び１２を備えたスライドファスナー又はジッパー１０が示されている。このストリンガー１１及び１２には、それぞれ務歯のような一連の噛合エレメント１３，１４が設けられている。
【００３２】
このジッパー１０は、他の使用が可能であることは勿論であるが、主として衣服、特にオートバイ乗り用の衣服の物品に用いることを意図している。ジッパー１０のストリンガー１１，１２は、それ自体は公知の方法で、例えば図１に符号Ａ，Ｂにて仮想線で示す部分のように、それぞれ前記物品の各部分に確実に取り付けられている。前記ジッパー１０は、図２〜図８において符号１５で示すスライダー胴体を備えている。同スライダー胴体１５は、ストリンガー１１，１２の噛合エレメント１３，１４の係合・解除を選択して行うようになっている。
【００３３】
全体として符号２０で示されるジッパー引手は、スライダー胴体１５に連結されており、本質的に硬い引手片２１と、図２に符号Ｘ−Ｘで示す軸線を中心として前記引手片２１にヒンジ状に連結されるカバー部材２２とを備えている。図面（特に図８及び図９を参照）に示される限定しない典型的な実施形態によれば、前記引手片２１は本質的に環状の第１端部２１ａを有している。同第１端部２１ａは、スライダー胴体１５の対応する直立構造（引手取付柱）１５ａに引っ掛けられており（図８）、スライダー胴体１５に対して揺動可能に配されている。
【００３４】
前記引手片２１は、本質的にくま手状の第２端部２１ｂを有しており（図８及び図９を参照）、同第２端部２１ｂは、前記カバー部材２２の一端にヒンジ状に連結されている。同カバー部材２２は、例えばプラスチックやゴム材のような軟質材料で作られている。
【００３５】
図面に示される典型的な実施形態にあっては、前記カバー部材２２は本質的にシェル状であり、凹面状の内側面２４と凸面状の外側面２５とを有している（図８）。そのカバー部材２２の凹面状の内側面２４には、本質的に細長い溝形状の収容部２６が形成されており、同収容部２６内に前記引手片２１が収容保持されるようになっている。この引手片２１の第１端部２１ａの両側面には、それぞれ外向きに延びる突条部又は翼片２１ｃが形成されている（特に図８及び９を参照）。
【００３６】
前記カバー部材２２の収容部又は溝２６を区切る長さ方向の両側壁部の内面には、それぞれ収容凹部２７（図８を参照すると、収容凹部２７のうち一つのみが目視できる）が設けられており、同収容凹部２７は、引手片２１の前記突条部２１ｃの一つを収容するようになっている。前記収容凹部２７の領域では、カバー部材２２の収容部２６の横幅が、引手片２１の第１端部２１ａの全横幅よりも大きく設定されている。従って、前記突条部２１ｃをカバー部材２２の対応する収容凹部２７内に係合するために、前記第１端部２１ａは前記収容部２６内に強制的に嵌入されることになる。
【００３７】
前記引手片２１のくま手状の第２端部２１ｂは、２つのアームを有しており、これらのアームは収容部又は溝２６の両側壁部とカバー部材２２の中央突出部２８との間に係合される（図５及び図８）。前記引手片２１とカバー部材２２との間のヒンジ連結はピン２９を介してなされている。このピン２９は、前記カバー部材２２の突出部２８及び両側壁部を通り、同時に前記引手片２１のくま手状第２端部２１ｂの各アームを通して嵌着固定される。
【００３８】
図６から明らかなように、前記収容凹部２７の領域では、前記カバー部材２２は本質的に横Ｃ字状の断面を有している。カバー部材２２は、図１、図４〜図６に示す引手片２１を覆って隠す第１位置と図２に示す引手片２１を露出する第２位置との間で運動可能とされている。
【００３９】
前記カバー部材２２の形態は特に限定されるものではないが、一般的な簡単な構造であり、前記第１位置において前記引手片２１及びスライダー胴体１５が、ジッパー引手１０が取り付けられる上記物品の隣接部分Ａ，Ｂと直接接触することを防止するようになっている。従って、前記第１位置において引手片２１が頻繁に跳ね上がることにより、上記物品が部分的に摩耗したり、或いは損傷してしまうなどとという冒頭で述べた先行技術のジッパー引手の不具合を解消することができるようになる。
【００４０】
好適には、図３，図４，図７及び図８から明らかなように、前記カバー部材２２は、上記第１位置（図４）において前記引手片２１及びスライダー胴体１５に対して軸方向に突出する自由端末部（延長部）２２ａを有しており、同端末部２２ａは、カバー部材２２を前記第１位置から外すために使用者が指先で把持できるようになっている。カバー部材２２の前記端末部２２ａは、長さ方向に向けて先細り形状を有していることが好ましく、更に好ましくは先細り形状の側面を有していることが好適である。
【００４１】
上記のように構成されたカバー部材２２は軟質材料から形成されており、上記第１位置から上記第２位置に向けて容易に変形するため、上記第１位置において前記収容部２６内に前記引手片２１の外郭形態に沿ってしっかりと嵌着支持し、上記第２位置において前記引手片２１を前記収容部２６内から外部に離脱するようにしている。このため、前記カバー部材２２の収容部２６内に前記引手片２１を確実に収容保持でき、しかも簡単に且つ円滑に係脱することができる。
【００４２】
また、前記カバー部材２２は、上記第１位置において前記引手片２１が前記物品の隣接部分Ａ，Ｂと直接接触することを防止する形状を有するように構成されている。このため、前記カバー部材２２は前記第１位置にあるとき不動状態となり、前記引手片２１及カバー部材２２を前記物品の隣接部分Ａ，Ｂと接触する位置までの動きを抑えるとともに、前記引手片２１に対する保持力を十分に確保している。
【００４３】
更に本発明にあっては、前記カバー部材２２が、軟質であること、前記第１位置にあるとき前記引手片２１が前記物品の隣接部分Ａ，Ｂと直接接触することを防止する形状を有していることを利用して、前記カバー部材２２の収容部２６内に前記引手片２１と一緒に前記スライダー胴体１５の一部を簡単に且つ円滑に係脱することと、前記第１位置にあるとき前記引手片２１及び前記カバー部材２２がどの方向にも動くことなく、前記スライダー胴体１５に対する保持力を確保することを他の特徴部としている。
【００４４】
図１０及び図１１は、本発明に係るジッパー引手の第２の実施形態を示している。この第２の実施形態において上記第１の実施形態と大きく異なるところは、前記カバー部材２２とスライダー胴体１５との相対移動を阻止する移動阻止手段を前記カバー部材２２の収容部２６の一部に有していることにある。つまり、前記カバー部材２２の前記内側面２４には、前記引手片２１の左右端面を収容保持する収容部２６と前記スライダー胴体１５の少なくとも左右の一部側面を収容保持する収容部２６ａとが形成されている。引手片２１とカバー部材２２とは、上記実施例と同様に、突条部２１ｃと収容凹部２７とが互いに係脱する点では変わりが内ない。これらの図において上記第１の実施形態と実質的に同じ部材には同一の部材名と符号を付している。
【００４５】
これらの図において、この第２の実施形態にあっても、図１０に示すように、スライダー胴体１５、引手片２１、カバー部材２２の三部材により構成されている。前記スライダー胴体１５は、上下翼板１５ｂ，１５ｃと各上下翼板１５ｂ，１５ｃの前部を連結する案内柱１５ｄとを有している。各上下翼板１５ｂ，１５ｃの後端から略中央位置にかけては、それぞれに左右の上下フランジを有している。前記上下翼板１５ｂ，１５ｃの間にはＹ字形の噛合エレメント案内通路が形成されている。この上翼板１５ｂの上面には、前後の端部に柱部１５ａ−１，１５ａ−２を有する断面が横Ｃ字状をなす引手取付柱１５ａが固着されている。
【００４６】
前記前端柱部１５ａ−１は、前記上翼板１５ｂの前端部上面に一体成形されて起立し、前記後端柱部１５ａ−２の下端は、引手片２１の環状の第１端部２１ａが挿入できる間隔を形成して前記上翼板１５ｂの上面から浮き上がった状態で配されている。前記引手片２１に関しては、前記スライダー胴体１５と同様に、上記第１の実施形態と実質的に変わるところはない。
【００４７】
一方、前記カバー部材２２は、図１１に示すように上方に滑らかな凸曲面をもつ上壁部２２ｂの左右に形成された左右側壁部２２ｃを有する断面が略横Ｃ字状をなしている。前記上壁部２２ｂの内面には、少なくとも前記引手取付柱１５ａの前端柱部１５ａ−１の上端部に保持される矩形状の嵌合凹部２７ａが形成されている。この第２の実施形態によるジッパー引手２０の主要な機構の一つである移動阻止手段が前記引手取付柱１５ａと前記嵌合凹部２７ａとにより構成される。同嵌合凹部２７ａは、前記カバー部材２２の収容部２６ａの一部を構成している。前記収容部２６，２６ａは、前記引手片２１及び前記引手取付柱１５ａを少なくとも収容保持するに十分な空間部を確保している。
【００４８】
また、前記カバー部材２２と前記引手取付柱１５ａとを嵌合するにあたり、前後及び幅方向の位置決めがなされ、前記カバー部材２０及びスライダー胴体１５の外部に格別な固着構造を露呈することなく、確実に取り付けることができる。前記カバー部材２２とスライダー胴体１５とが嵌合状態にあるときは、前記カバー部材２２の嵌合凹部２７ａと前記引手取付柱１５ａとがしっかりと固定され、上記引手片２１の突条部２１ｃとの係着と相まって前記カバー部材２２のあらゆる方向への移動を防止することができる。
【００４９】
このため、ジッパー引手２０が上記第１位置にあるとき、前記引手取付柱１５ａに対して前記カバー部材２２が跳ね上がろうとする力がカバー部材２２に直接作用しても、同カバー部材２２を前後方向、左右方向、斜め方向や上下方向に移動させることなく、同カバー部材２２の保持力を増大させることができ、耐久性が高められる。従って、このカバー部材２２は単純な構造でよく、複雑な構造に形成する必要がなくなり、カバー部材２２の嵌合凹部２７ａの形態や大きさなどを前記引手取付柱１５ａの形態や大きさなどに応じて適宜に設定することによりジッパー引手１０の小型化や薄型化が実現できる。
【００５０】
また、前記カバー部材２２の素材は、上述のようにプラスチックやゴム材或いは皮革などの軟質材料からなるため、外観上のソフト感が良好に得られることは当然として、前記カバー部材２２と各構成部品が互いに衝突し合う場合があったとしても、使用者に耳障りな不快音を発生しないため、使用者に不快感を与えることを防止することができる。また、激しいスポーツを行ったときなど、不意にスライダーが手などの体の一部にあたるようなことがあっても、軟質のカバー部材２２によってスライダー１５、引手２１が軟質部分で覆われているため、手などを傷つけるようなことはない。
【００５１】
図１２及び図１３は、本発明に係るジッパー引手の第３の実施形態を示している。なお、これらの図において上記第２の実施形態と実質的に同じ部材には同一の部材名と符号を付している。この第３の実施形態では、前記カバー部材２２の収容凹部２７及び引手片２１の突条部２１ｃを排除して、前記引手取付柱１５ａの前端柱部１５ａ−１の左右側面に突部１５ａ−３，１５ａ−３が突設されており、前記カバー部材２２の前記突部１５ａ−３に対応する左右側壁部２２ｃの対向面には凹部２２ｆ，２２ｆが形成されている。従って、前記左右移動阻止手段である突部及び凹部を適宜に設定することにより、前記カバー部材２２及び前記引手取付柱１５ａの係着が確実になされ、各構成部品間相互の保持力が十分に得られる。
【００５２】
この第３の実施形態にあっても、前記ジッパー引手２０が上記第１位置にあるとき、前記引手取付柱１５ａと前記カバー部材２２の係着がずれることがなくなり、同時に前記カバー部材２２と前記引手片２１との左右方向、上下方向、前後方向などのどの方向への移動をも防止することができる。なお、この第３の実施形態では、例えば前記カバー部材２２の内部対向面に形成された突条部や突部と、前記前端柱部１５ａ−１の左右側面に形成された係合段部や凹部とにより構成することができることは勿論である。
【００５３】
また、この第３の実施形態では、前記カバー部材２２の収容凹部２７及び引手片２１の突条部２１ｃを排除した例を挙げているが、本発明は図示例に限定されるものではなく、上述のように前記引手取付柱１５ａの突部１５ａ−３及び前記カバー部材２２の凹部２２ｆを有するとともに、前記収容凹部２７及び前記突条部２１ｃを有することができる。この場合は、前記引手取付柱１５ａ、前記引手片２１、前記カバー部材２２の三者が完全に係着されることとなり、各構成部品間相互のガタツキやズレなどを完全に防止することができ、それらをしっかりと且つ確実に支持固定することができる。
【００５４】
図１４〜図１６は本発明に係るジッパー引手の第４の実施形態を示している。なお、これらの図において上記各実施形態と実質的に同じ部材には同一の部材名と符号を付している。この第４の実施形態では、前記カバー部材２２の左右側壁部２２ｃが、前記上翼板１５ｂから前記噛合エレメント案内通路にかけて延設されており、上記第１の実施形態によるカバー部材２２と比較して前記カバー部材２２の凹面状の内側面２４を拡大させ、前記引手片２１とともに前記上翼板１５ｂを完全に覆い隠すことができるようにしている。
【００５５】
従って、前記引手片２１の突条部２１ｃを排除して、同カバー部材２２の左右側壁部２２ｃが、少なくとも前記上翼板１５ｂの左右端部に嵌入して係着することにより、前記スライダー胴体１５と前記カバー部材２２とのあらゆる方向への相対移動を阻止する移動阻止手段として構成されている点が上記各実施形態とは大きく異なっている。
【００５６】
図示例によると、前記上翼板１５ｂの左右端部の一部には、それぞれ突条部１５ｂ−１が突設されている。一方の前記カバー部材２２の左右側壁部２２ｃの内面には、それぞれ前記突条部１５ｂ−１に嵌入係着される矩形状断面をもつ係合凹部２７ｂが形成されており、左右側壁部２２ｃの内面下端部は案内摺動面２２ｄと係合段部２２ｅとを有する段部形状をなしている。この係合凹部２７ｂは、前記カバー部材２２の収容凹部２７に面一に形成されており、前記収容部２６ａの一部を構成している。
【００５７】
この第４の実施形態によるジッパー引手２０の主要な機構の一つである移動阻止手段は前記突条部１５ｂ−１と係合凹部２７ｂとにより構成されており、前記スライダー胴体１５と前記カバー部材２２とのあらゆる方向への相対移動を阻止する。このような移動阻止手段を採用すると、前記引手片２１の揺動を抑えながら、前記カバー部材２２及び引手片２１の保持力が十分に得られる。なお、前記突条部１５ｂ−１に代えて、前記上翼板１５ｂの左右端面に断続的に突部を形成することができることは勿論である。
【００５８】
図１７〜図１９は本発明に係るジッパー引手の第１〜第３の変形例をそれぞれ示している。なお、これらの図において上記各実施形態と実質的に同じ部材には同一の部材名と符号を付している。
【００５９】
図１７に示す第１の変形例にあっては、前記引手片２１と一緒に前記スライダー胴体１５の一部を完全に覆い隠す点では上記第４の実施形態と同様であるが、前記カバー部材２２の上壁部２２ｂの内面に、少なくとも前記引手取付柱１５ａの前端柱部１５ａ−１に嵌着支持される矩形状の嵌合凹部２７ａを有している点、その左右側壁部２２ｃの内面に前記嵌合凹部２７ａの下端開口周面に一致する矩形状断面をなす係合凹部２７ｃを有している点、一方の前記上翼板１５ｂの左右端部の一部には、それぞれ前記係合凹部２７ｃに嵌入係着される突条部１５ｂ−１が突設されている点で上記第３の実施形態とは大きく異なっている。
【００６０】
この第１の変形例にあっても、前記カバー部材２２が軟質であることを利用して上記第１位置から上記第２位置に向けて前記引手片２１及び前記スライダー胴体１５を前記収容部２６，２６ａ内から容易に係脱できる。また、このような移動阻止手段を採用すると、前記スライダー胴体１５及びカバー部材２２の固着面積を十分に確保することができるようになる。
【００６１】
図１８に示す第２の変形例にあっては、上記各実施形態及び第１の変形例と大きく異なるところは、前記上翼板１５ｂの突条部１５ｂ−１及び前記左右側壁部２２ｃの嵌合凹部２７ａを排除して、前記カバー部材２２の左右側壁部２２ｃの内側面２４に上翼板１５ｂの左右端部を直接に嵌入係着していることにある。このような簡単な構造の移動阻止手段でありながら、前記スライダー胴体１５とカバー部材２２との外部に格別な固着部材を露呈することなく、前記カバー部材２０と前記引手片２１とがどの方向にも動かず、前記スライダー胴体１５に対する保持力を高めることができる。
【００６２】
更に、図１９に示す第３の変形例では、前記上翼板１５ｂの左右方向の横幅寸法を前記下翼板１５ｃよりも大きく設定するとともに、その上翼板１５ｂの左右端部に嵌着固定する係合凹部２７ｄを前記カバー部材２２の左右側壁部２２ｃの一部内面にわたり形成している。これらの構成を備えることにより、上記各変形例と同様に前記カバー部材２２を前記上翼板１５ｂの左右端部に向けて正確に且つ安定して案内することができるとともに、前記カバー部材２２の左右側壁部２２ｃの対向面間に前記上翼板１５ｂの左右端部を簡単に且つ的確に係合することができる。
【００６３】
このように、移動阻止手段の形態は、カバー部材２２及びスライダー胴体１５の形態や大きさなどに応じて適宜に設定することができる。上記第４の実施形態及び第１〜第３の変形例においては、例えば前記上翼板１５ｂの左右端面に図示せぬ嵌入孔を形成し、前記カバー部材２２の左右側壁部２２ｃの内側面２４に前記嵌入孔に嵌入する図示せぬ突出部を突設してもよく、これらの嵌入孔や突出部を前記上翼板１５ｂの左右端面と前記カバー部材２２の左右側壁部２２ｃの内側面２４とに適宜に組み合わせて形成することができることは勿論である。
【００６４】
以上は本発明の好適な実施形態及び変形例を例示したものであり、例えば上記各実施形態及び各変形例では、移動阻止手段の一例として、上述のごとく前記引手取付柱１５ａとカバー部材２２の嵌合凹部２７ａとに互いに嵌着する構造例、前記上翼板１５ｂの左右端部にカバー部材２２の係合凹部２７ｂ、２７ｄを弾性的に嵌着する構造例、前記上翼板１５ｂの突条部１５ｂ−１を配するとともに、前記カバー部材２２の前記突条部１５ｂ−１と弾性的に係合する係合凹部２７ｃを配した構造例などを挙げているが、スライダー胴体１５及び引手取付柱１５ａの形態、大きさなどの他の要因との関係で、前記移動阻止手段のいずれか一つ、或いはそれらの任意の組合せによっても、本発明の目的を充分に達成することができることは勿論である。なお、前記引手取付柱１５ａとカバー部材２２の嵌合凹部２７ａとに突部又は係合凹部を形成することができる。
【００６５】
また、本発明にあっては、カバー部材の形態を特に規定するものではなく、カバー部材の形態として、上述のようにカバー部材の左右側壁部は偏平な壁面としてもよく、カバー部材の左右側壁部は外方に滑らかに湾曲した凸面形状の壁面としてもよい。従って、本発明は上記実施形態や変形例に限定されないことは当然であり、各請求項に記載した範囲内で様々に設計変更が可能である。
【図面の簡単な説明】
【図１】本発明に係るジッパー引手を備えたジッパー又はスライドファスナーの第１状態を示す斜視図である。
【図２】同ジッパー又はスライドファスナーの第２状態を示す斜視図である。
【図３】ジッパー引手が中間位置にある状態を示す図１及び図２のジッパーの側面図である。
【図４】スライダー胴体及びジッパー引手を備えた本発明の組立品の側面図である。
【図５】図４に示す組立品の底部平面図である。
【図６】図４のＶＩ−ＶＩ線の矢視断面図である。
【図７】ジッパー引手が多様な位置にあることを示す図４〜図６の組立品の側面図である。
【図８】図４〜図７に示す組立品の斜視図である。
【図９】本発明によるジッパー引手に含まれる引手片の斜視図である。
【図１０】本発明に係る第２の実施形態である前記組立品の一部を切り欠いて示す要部縦断面図である。
【図１１】図１０のＸＩ−ＸＩ線の矢視断面図である。
【図１２】本発明に係る第３の実施形態である前記組立品の斜視図である。
【図１３】図１０のＸＩ−ＸＩ線矢視部に相当する部位の前記組立品の断面図である。
【図１４】本発明に係る第４の実施形態である前記組立品の斜視図である。
【図１５】同組立品の側面図である。
【図１６】図１５のＸＶ−ＸＶ線の矢視断面図である。
【図１７】図１５のＸＶ−ＸＶ線矢視部に相当する部位の前記組立品の変形例を示す断面図である。
【図１８】同組立品の他の変形例を示す断面図である。
【図１９】同組立品の更に他の変形例を示す断面図である。
【符号の説明】
１０　　　　　　ジッパー
１１，１２　　　ストリンガー
１３，１４　　　噛合エレメント
１５　　　　　　スライダー胴体
１５ａ　　　　　引手取付柱
１５ａ−１　　　前端柱部
１５ａ−２　　　後端柱部
１５ａ−３　　　凹部
１５ｂ　　　　　上翼板
１５ｂ−１　　　突条部
１５ｃ　　　　　下翼板
１５ｄ　　　　　案内柱
２０　　　　　　ジッパー引手
２１　　　　　　引手片
２１ａ　　　　　第１端部
２１ｂ　　　　　第２端部
２１ｃ　　　　　突条部
２２　　　　　　カバー部材
２２ａ　　　　　延長部
２２ｂ　　　　　上壁部
２２ｃ　　　　　左右側壁部
２２ｄ　　　　　案内摺動面
２２ｅ　　　　　係合段部
２２ｆ　　　　　突部
２４　　　　　　内側面
２５　　　　　　外側面
２６，２６ａ　　収容部
２７　　　　　　収容凹部
２７ａ　　　　　嵌合凹部
２７ｂ〜２７ｄ　係合凹部
２８　　　　　　中央突出部
２９　　　　　　ピン
Ａ，Ｂ　　　　　物品の隣接部分
【図１】
2004065953.tif 000003
【図２】
2004065953.tif 000004
【図３】
2004065953.tif 000005
【図４】
2004065953.tif 000006
【図５】
2004065953.tif 000007
【図６】
2004065953.tif 000008
【図７】
2004065953.tif 000009
【図８】
2004065953.tif 000010
【図９】
2004065953.tif 000011
【図１０】
2004065953.tif 000012
【図１１】
2004065953.tif 000013
【図１２】
2004065953.tif 000014
【図１３】
2004065953.tif 000015
【図１４】
2004065953.tif 000016
【図１５】
2004065953.tif 000017
【図１６】
2004065953.tif 000018
【図１７】
2004065953.tif 000019
【図１８】
2004065953.tif 000020
【図１９】
2004065953.tif 000021